(57)【要約】【課題】曳き釣りの仕掛けをラジオコントロールボートに取り付けたロッドを介して釣人の釣竿から繰り出される道糸と連結させて、ボートを魚の群れの中にラジオコントロール操作によって誘導し、魚がヒットした後は釣人自身が持つ釣竿のリールを巻き取ることによって、魚を取り込めることを可能にしたトローリングボート玩具の提供。【解決手段】ボートの艫の位置に先端に幹糸案内リングを有したトローリングロッドを立設固定し、ボートのみよしの位置に先端に道糸案内リングを有した道糸支持用ロッドを立設固定したラジオコントロールボート玩具によって達成できる。【選択図】　　　　　図１
2004105012.tif 000002
【特許請求の範囲】
【請求項１】
ラジオコントロールボート玩具において、ボートの艫の位置に先端に幹糸案内リングを有したトローリングロッドを立設固定し、ボートのみよしの位置に先端に道糸案内リングを有した道糸支持用ロッドを立設固定したことを特徴とするラジオコントロール玩具用トローリングボート。
【請求項２】
ラジオコントロールボートの艫に立設固定したトローリングロッドの先端の幹糸案内リングに曳釣りの仕掛けを結束した幹糸を挿通させストッパーに結束し、リールに巻かれた道糸を、前記ボートのみよしに立設固定された道糸支持用ロッドの先端の道糸案内リングを挿通させ前記ストッパーに結束し、曳釣りの仕掛けと道糸とが前記ボートに固定された幹糸案内リングおよび道糸案内リングを介して一体となった状態でボートを走航させることを特徴とするトローリング方法。
【発明の詳細な説明】
【０００１】
【発明の属する技術分野】
本発明は陸上からラジオコントロール操作によって操縦するトローリングボート玩具において、該ボートによってトローリング（魚の曳釣り）を行うことを可能としたラジオコントロールボート玩具並びにそのボートを利用したトローリング方法に関する。
【０００２】
【従来の技術】
【特許文献１】特開平９−２４８１１１号公報
従来の上記技術は、釣り用の仕掛けを遠くの釣りポイントに搬送させる手段であって、介装体を保持体に保持させた状態で搬送航走体を水に浮かべ、推進手段からの推進力によって釣りポイントに向け前進させ、搬送航走体が釣りポイントに到達した際に、送り道糸に所定値以上の引張り力を作用させ、介装体を保持体の保持から解放させる。この結果、ハリス等の釣り用仕掛けは自重によって水底に向かって落下し、検出センサが介装体が保持体から離脱したことを検出して推進手段の作動を停止させ、搬送航走体を釣りポイントにおいて停止させる。そして、この釣り用仕掛けに魚が食いつくと、リールによって道糸を次々と巻取るが、該介装体はガイドに当接するので搬送航走体は仕掛け、魚と一体となって岸に引き寄せられ回収されるというものである。
【０００３】
【特許文献２】特開平１１−１６９０４１号公報
上記はラジオコントロールボート玩具であって、電動リール付きラジオコントロールボートによって、陸上で発信機から第１チャンネルの信号を発信して第１サーボモーターを回動させ、その回動力でラジオコントロールボートの舵を左右に操作でき、また、第２チャンネルの信号を発信して高速モーターを回転させることによってスクリューを回転させることができるので、遠隔操作によって、釣竿とその釣竿に取付けられた釣糸を巻き上げるための電動リールが搭載されたラジオコントロールボートを目的のポイントに走航させることができ、そこで発信機から第３チャンネルの信号を発信して第３サーボモーターを回動させ、その回動力によって電動リールのメインスイッチをオン状態とした後、第４チャンネルの信号を発信して第４サーボモーターを回動させて、その回動力でクラッチレバーをオフ状態（クラッチが効いてない状態）とし、釣糸の先端部をその錘の自重によって水中に垂らすことができる。釣糸を水中に垂らした後、第４チャンネルの信号でクラッチレバーをオン状態として、釣糸の先端部を水中で固定して、魚が釣糸の針に掛かった場合に釣竿が引かれる状態とする。そして、魚が針に掛かったことを釣竿の引かれ具合やラジオコントロールボートの動きによって察知した後、発信機から第５チャンネルの信号を発信して第５サーボモーターを回動し、釣糸巻き上げスイッチをオン状態とする。こうして釣糸を巻き上げることで、容易に魚を釣り上げることができる。その後、ラジオコントロールボートを第１及び第２チャンネルの信号によって遠隔操作することで、釣り上げた魚を岸など所定の位置に運ぶことができるというものであった。
【０００４】
【発明が解決しようとする課題】
前記した如く、仕掛けを沖に運ぶことを目的とした自走式航走体であっては走航中に仕掛けを水面で曳くことができず、トローリングをすることは不可能であった。
また、ボートを沖に停泊させて該ボートに搭載したラジオコントロール制御方式の釣具を操作して魚を釣る構造であっても、走航中には仕掛けを水面で曳くことができないのでトローリングはできなかった。
【０００５】
本発明は前記した問題点を解決せんとするものであり、曳き釣りの仕掛けをラジオコントロールボートを介して、釣人の釣竿から繰り出される道糸と連結させて、ボートを魚の群れの中にラジオコントロール操作によって誘導し、魚がヒット（針掛り）した後は釣人自身が持つ釣竿のリールを巻き取ることによって、道糸を手繰り寄せて魚を取り込めるようにしたトローリングボート玩具ならびにそのボートを利用したトローリング方法の開発に関する。
【０００６】
【課題を解決するための手段】
本発明のラジオコントロールボート玩具の構造は前記課題の解決を図らんとするものであって、請求項１に示す如くボートの艫の位置に先端に幹糸案内リングを有したトローリングロッドを立設固定し、ボートのみよしの位置に先端に道糸案内リングを有した道糸支持用ロッドを立設固定することによって達成される。
【０００７】
また、本発明のトローリングボートを利用したトローリング方法は請求項２に示す如くラジオコントロールボートの艫に立設固定したトローリングロッドの先端の幹糸案内リングに曳釣りの仕掛けを結束した幹糸を挿通させストッパーに結束し、リールに巻かれた道糸を、前記ボートのみよしに立設固定された道糸支持用ロッドの先端の道糸案内リングを挿通させ前記ストッパーに結束し、曳釣りの仕掛けと道糸とが前記ボートに固定された幹糸案内リングおよび道糸案内リングを介して一体となった状態でボートを走航させることによって達成される。
【０００８】
【発明の実施の形態】
以下、本発明に係るラジオコントロールボート玩具の構造並びにトローリング方法の実施の形態を図面と共に説明する。
図１は本願発明にかかるボートの全体の外観を示し、１はラジオコントロールボート本体にして、たとえば京商株式会社製「ラジオコントロールサーファー」（商品名）、「アトランティオ６００」（商品名）の如く一般に市販されているラジオコントロールボート玩具を用いる。
【０００９】
２はボート本体１の艫（船の後尾部分）に立設固定されたトローリングロッドにして、ボート本体１に設けられたロッド取り付け孔１ａに嵌合してボート１に図示しない手段によって強固に固定されている。
トローリングロッド２は魚の引きに対応できる程度の柔軟性を有したグラスロッド、竹製のロッドを用いる。該ロッドの長さはボート長の２分の一程度が望ましいがそれ以上長くても、短くても問題はない。また、トローリングロッド２の先端には後述する幹糸案内用の幹糸案内リング２ａが取り付けられている。
【００１０】
３はボート本体１のみよし（船の先端部分）に立設固定された道糸支持用ロッドにして、ボート１に設けられたロッド取り付け孔１ｂに嵌合してボート本体１に図示しない手段によって強固に固定されている。
道糸支持用ロッド３は直接魚の引きの影響を受けることはなく、道糸が絡まないように案内する為のロッドであるから、特段の柔軟性を必要とすものではないので、グラスロッドのほか、樹脂製のロッド、ステンレス等の金属製のロッドを用いても良い。該ロッドの長さはボート長と同程度が望ましいがそれ以上長くても、短くても問題はない。また、道糸支持用ロッド３の先端には後述する道糸案内用の道糸案内リング３ａが取り付けられている。
また、道糸支持用ロッド３には後述するラジオコントロール受信機から配出されるアンテナ４が縛糸５によって一体的に取り付けられている。
なお、道糸支持用ロッド３に金属製のロッドを用いた場合には、それ自体をアンテナとして利用することもできる。
【００１１】
図２はボート本体の内部構造の概略を示したものであり、ボートがラジオコントロールによって駆動される為の部品、バッテリー１１、モーター１２、サーボ１３、受信機１４が格納されており、外部からのラジオコントロール操作によってボートのスクリュー１５が図示しない舵と共に遠隔制御され、航行することとなる。
【００１２】
ボート本体は水密構造となっており、沈没しない構成になっている。さらにボート本体の左右にフロート部材を設けて、より大きな浮力を得るようにすることが望ましい。
尚、受信機１４からはアンテナ４が配出され、図示しない手段によってボート本体の外部に導かれている。
１６はスクリューガイドにして、スクリューが海底に直接接触することを防ぐものである。
【００１３】
次に図３Ａ、図３Ｂを参照して、トローリング方法について説明する。
ボートの艫に設けたトローリングロッドの先端の幹糸案内リング２ａに曳釣りの仕掛け６を結束した幹糸７を挿通させストッパー８に結束する。
曳釣りの仕掛け６はヒコーキ、潜水板と呼ばれる浮き部材にハリスを介して釣り針（疑似餌針）が結び付けられているものである。
ストッパー８は環状の金属リングでもよいし、両端によりもどしのついたウレタンボール等であっても良い。
【００１４】
次いで、陸にいる釣人（ラジオコントロール操縦者）Ｆの持つ釣竿Ｒに取り付けられたリール９に巻かれた道糸１０を、ボートのみよしに設けた道糸支持用ロッド３の先端の道糸案内リング３ａを挿通させ前記ストッパー８に結束する。
曳釣りの仕掛け６と道糸１０とがボート１を介して一体となった状態でボートを沖に向けて出航させる。
【００１５】
ラジオコントロール送信機Ｐは図３Ｂに示す如く、釣人Ｆが持つ釣竿Ｒにリール９と同様に一体的に取り付けてもよい。
ラジオコントロール送信機Ｐによって釣人は、魚の群れがいる場所を示すいわゆるトリ山と呼ばれる海鳥の集結した周辺をボート１が通過するように操縦航行させる。
ボート１が航行することによって、トローリングロッド２を介して曳釣りの仕掛け６が海面を引っ張っていかれ、海面付近でイワシなどを漁っているイナダ、カツオ、サバなどの魚の群れの上を上記仕掛けが通過することによって、それらの魚が仕掛に喰らい付き針掛（ヒット）する。
魚がヒットした状態は、曳釣りの仕掛け６に取り付けられたヒコーキが沈み込んだり、潜水板が浮かび上がったり、あるいは魚が跳ねたり、トローリングロッド２が撓る状態を陸からの目視によって確認することができる。
【００１６】
魚がヒットしたことを視認したら、送信機Ｐによるラジオコントロール操作によってボートを停止させ、釣人Ｆは釣竿Ｒに取り付けた道糸の巻いてあるリール９を巻き上げて魚を取り込む。リール９を巻くと、図４に示すごとく、ストッパー８が道糸支持用ロッド３の道糸案内リング３ａに当接して魚とボートとを一緒に引き寄せることになる。
その場合、ボートの抵抗（重量）を無くして巻き上げたい場合には巻き上げ速度に見合う速さでボートを航行させれば良い。その際は、ボートは常にリールを巻く釣人の立つ陸地方向位置に向って来ているので操縦はスピードコントロール制御だけで良いことになる。
そうすることによって、釣人の竿にはボートの負荷が掛からないので実際の魚の引きのみを味わう醍醐味を得ることが可能となる。
【００１７】
【発明の効果】
本発明は前記したように、ラジオコントロールボートを魚の群れの中へ誘導するように操縦し、魚がヒットした後は釣人自身が持つ釣竿のリールを巻き取ることによって、道糸を手繰り寄せて魚を取り込めるようにしたものであるから、実際に船に乗らないでもトローリングを楽しむことが可能となる。
【００１８】
また、陸からの投げ釣りによる曳き釣りでは５０メートル程度の沖合いに仕掛けを飛ばすのが精一杯であるが、本件ボートを利用すれば魚の群れが沖合い１００メートル、２００メートルの遠くにいた場合にあっても海上での無線が届く範囲であれば問題無く目的のポイントを攻めることが可能となる。
【００１９】
また、道糸が道糸支持用ロッドの道糸案内リングを挿通してストッパー部材に結束されているので、ボートが潮に流され無線操縦できない沖に行ってしまい操行不能になったとしても道糸を巻き取ることによって安全にボートを回収できるという効果があり、反対に、何かの事故で道糸が切れてしまってもラジオコントロール操作によってボートを操航させて回収することができるという効果もある。
【図面の簡単な説明】
【図１】本願発明にかかるボートの全体の外観図
【図２】本願発明にかかるボートの内部概略図
【図３】（Ａ）は本願発明にかかるボートを用いたトローリングの状態を示すボートの状況概要図、（Ｂ）は同上トローリングの状態を示す釣人の状況概要図
【図４】ヒット後のリールによる巻き上げ状況を示す参考図
【符号の説明】
１　　ボート本体
２　　トローリングロッド
２ａ　幹糸案内リング
３　　道糸支持用ロッド
３ａ　道糸案内リング
４　　アンテナ
【図１】
2004105012.tif 000003
【図２】
2004105012.tif 000004
【図３】
2004105012.tif 000005
【図４】
2004105012.tif 000006